(57)【要約】【課題】  複数の建材の納期を容易に設定することを可能にし、発注者の負担を軽減できる建材の受発注支援システムを提供する。【解決手段】  サーバー３は、発注の際に、発注用端末から、商品情報とともに、建材の使用場所及びその施工種別を含む工事情報が入力されると、その商品情報及び工事情報を互いに関連付けて記憶する。また、日程管理の際に、発注用端末から、工事情報に対応する日程が入力されると、その日程及び工事情報を互いに対応付けて記憶する。そして、建材を納品する際に、納入日を指定して検索が指示されると、その納入日に一致する日程を基に、その日程に対応する工事情報を日程情報記憶手段１６から抽出するとともに、抽出された工事情報に関連する全ての商品情報を発注情報記憶手段１５から抽出する。また、抽出された商品情報を基に、建材の納品リストを作成する。【選択図】        図２
2005309718.tif 000002
【特許請求の範囲】
【請求項１】
複数の種類の建材を発注する発注用端末とサーバーとを通信ネットワークを介して接続した建材の受発注支援システムであって、
前記サーバーは、
発注の際に、前記発注用端末から、建材の品番及び数量を含む商品情報と、その建材の使用場所及び施工種別を含む工事情報とが入力されると、前記商品情報及び前記工事情報を互いに関連付けて記憶する発注情報記憶手段と、
日程管理の際に、前記発注用端末から、前記工事情報に対応する日程が入力されると、該日程及び前記工事情報を互いに関連付けて記憶する日程情報記憶手段と、
建材を納品する際に、納入日を指定して検索が指示されると、該納入日に一致する前記日程を基に、該日程に対応する前記工事情報を前記日程情報記憶手段から抽出するとともに、抽出された前記工事情報に関連する全ての前記商品情報を前記発注情報記憶手段から抽出する情報抽出手段と、
該情報抽出手段によって抽出された前記商品情報を基に、建材の納品リストを作成するリスト作成手段と
を具備することを特徴とする建材の受発注支援システム。
【請求項２】
前記施工種別には職種の区分が含まれ、
前記発注情報記憶手段に記憶された前記商品情報及び前記工事情報を基に、前記職種毎の見積書を作成する見積書作成手段をさらに備えることを特徴とする請求項１に記載の建材の受発注支援システム。
【請求項３】
複数の商品を発注する発注用端末とサーバーとを通信ネットワークを介して接続した建材の受発注支援システムにおいて使用される受発注支援プログラムであって、
発注の際に、前記発注用端末から、建材の品番及び数量を含む商品情報と、その建材の使用場所及び施工種別を含む工事情報とが入力されると、前記商品情報及び前記工事情報を互いに関連付けて記憶する発注情報記憶手段、
日程管理の際に、前記発注用端末から、前記工事情報に対応する日程が入力されると、該日程及び前記工事情報を互いに関連付けて記憶する日程情報記憶手段、
建材を納品する際に、納入日を指定して検索が指示されると、該納入日に一致する前記日程を基に、該日程に対応する前記工事情報を前記日程情報記憶手段から抽出するとともに、抽出された前記工事情報に関連する全ての前記商品情報を前記発注情報記憶手段から抽出する情報抽出手段、
及び、該情報抽出手段によって抽出された前記商品情報を基に、建材の納品リストを作成するリスト作成手段
として、前記サーバーを機能させることを特徴とする建材の受発注支援プログラム。
【発明の詳細な説明】
【技術分野】
【０００１】
本発明は、建材の受発注支援システム及びそのプログラムに関するものであり、特に、インターネット等の通信ネットワークを介して、複数の種類の建材を受発注するとともに、工事の日程を管理し指定された納入日に納品させることを可能にする建材の受発注支援システム、及びそのシステムにおいて実行されるプログラムに関するものである。
【背景技術】
【０００２】
見積書を作成する作業は、経験や熟練を必要とするとともに、担当者の負担が大きく、特に、住宅を建設する場合など多種類の建材を取り扱う際には、見積書を作成するのに極めて多くの工数を要していた。また、出先等で商談が行われた際に、カタログや価格表がない場合には、その場で見積書を作成することが難しく、また譬え見積書を作成することができたとしても、作成するまでの比較的長い時間、施主を待たせることになり、円滑に商談を進めることができなくなる恐れがあった。
【０００３】
そこで、最近では、インターネット等の通信ネットワークに接続されたサーバーを用いて見積書を作成するシステムが提案されている。具体的には、サーバーの記憶手段に、商品の名称、品番、及び価格等の商品情報を記憶するものであり、通信ネットワークを介して端末装置から希望購入情報（希望する商品の情報）が入力されると、これらの希望購入情報と記憶手段に記憶された商品情報とに基づいて見積書を作成し、その見積書を端末装置に送信するものである。そして、商品の購入希望者は、端末装置を介して見積書を受取り、価格等に問題がなければ、その見積書に従って発注することになる。
【０００４】
ところで、住宅建設では、設計図面等で施主の確認を取ってから施工完了までに数ヶ月の日数を要するが、現場では施工業者を遊ばせることなく商品や材料を納品させることが極めて大切である。なぜなら、工務店では、住宅資材の価格による損失よりも、施工業者の手待ち時間による方が金銭的な損失が大きくなるためである。例えば、工務店が他のメーカーから床材を１０％安く購入できても、床材の納入日が一日遅れたら壁下工事も天井工事も全て遅れ、施工業者の手待ち時間により多大な損失を被ることになる。
【０００５】
そこで、建築現場に入る施工業者のスケジュールに合わせて納品できるようにした納期管理システムが提案されている。これは、販売店等が管理するサーバーと、工務店等が利用可能な発注用端末とを通信ネットワークを介して接続し、発注用端末において商品の希望納期を入力させるようにしたものである。これによれば、販売店はサーバーによって希望納期を把握することが可能になり、建築現場における施工スケジュールに合わせて必要建材を納品できるようになる。
【０００６】
以上の従来技術は、当業者において当然として行われているものであり、出願人は、この従来技術が記載された文献を知見していない。
【発明の開示】
【発明が解決しようとする課題】
【０００７】
しかし、上記の納期管理システムによれば、商品毎に希望納期を設定しなければならないため、希望納期の入力作業における工務店等の負担が大きくなっていた。つまり、最小単位である個々の商品毎に希望納期を入力しなければならないため、必要以上に細かな入力作業が強いられるようになり、作業に不満を抱く恐れがあった。なお、納期を設定するにあたり見積情報を利用することも考えられるが、見積情報は工事の進捗状況と関連しないことから、夫々の商品の希望納期を設定する際には互いの整合性を取りながら入力する必要があった。
【０００８】
ところで、住宅工事においては、一般に時間軸及び空間軸によって管理されている。すなわち、時間軸上に職種別工事（例えば配管、左官、及び大工による工事）を並べるとともに、工事部位毎つまり住宅の各部屋毎に職人がぶつからないように、各職人及び建材を手配するようにしている。ところが、従来の納期管理システムによれば、商品毎に希望納期を設定することから、全ての建材をジャストタイムで納品することは困難であった。例えば、外観全体のデザインにリズム感を出すために、一階の部屋で使用される窓枠と同じ品番のものを、台所、洗面所、二階の部屋、または廊下等で使用する場合があるが、このような場合、窓枠を取付ける時期が部屋毎に異なっているにも拘わらず、同じ商品であるという理由で、全て同日に納品されていた。この結果、建材を建築現場等で保管しなければならず、特に、これらの建材を設置するためのスペースが確保できない現場においては大きな問題となっていた。
【０００９】
そこで、本発明は、上記の実状に鑑み、夫々の建材の納入日を容易に設定でき、発注者の負担を軽減することを可能にする建材の受発注支援システム、及びそのプログラムの提供を課題とするものである。
【課題を解決するための手段】
【００１０】
本発明にかかる建材の受発注支援システムは、「複数の種類の建材を発注する発注用端末とサーバーとを通信ネットワークを介して接続した建材の受発注支援システムであって、前記サーバーは、発注の際に、前記発注用端末から、建材の品番及び数量を含む商品情報と、その建材の使用場所及び施工種別を含む工事情報とが入力されると、前記商品情報及び前記工事情報を互いに関連付けて記憶する発注情報記憶手段と、日程管理の際に、前記発注用端末から、前記工事情報に対応する日程が入力されると、該日程及び前記工事情報を互いに関連付けて記憶する日程情報記憶手段と、建材を納品する際に、納入日を指定して検索が指示されると、該納入日に一致する前記日程を基に、該日程に対応する前記工事情報を前記日程情報記憶手段から抽出するとともに、抽出された前記工事情報に関連する全ての前記商品情報を前記発注情報記憶手段から抽出する情報抽出手段と、該情報抽出手段によって抽出された前記商品情報を基に、建材の納品リストを作成するリスト作成手段とを具備する」ものである。
【００１１】
ここで、「使用場所」は、例えば、物件名（例えば個別邸の識別番号）、部屋名（例えば部屋の種類を示す識別番号）、及び工事対象部位（例えば壁，床，天井等を区別する識別番号）の組合わせから表現することが可能である。また「施工種別」は、大工、左官、配管、及び電気工事といった職種の区分、及び施工順序を示す情報から構成することができる。
【００１２】
本発明によれば、サーバーは、発注の際に、発注用端末から、建材の品番及び数量を含む商品情報と、その建材の使用場所及び施工種別を含む工事情報とが入力されると、これらの商品情報及び工事情報を互いに関連付けて記憶する。すなわち、注文する建材の商品情報に加え、夫々の商品の使用場所及び工事の情報を入力させることにより取得する。
【００１３】
また、日程管理の際に、発注用端末から工事情報に対応する日程が入力されると、サーバーは、その日程と、発注時に入力された工事情報とを互いに関連付けて記憶する。つまり、建材の種類毎に納入日を入力させるのではなく、工事情報に対応させて日程を入力させる。これによれば、ドア枠と壁材とのように、商品の種別が互いに異なっていても、夫々の建材における使用場所及び工事情報が同一の場合（すなわち同日施工が可能な場合）には、同日の日程として設定される。
【００１４】
一方、建材を納品する際に、納入日を指定して検索が指示されると、サーバーは、その納入日と、日程管理の際に記憶された日程とを照合し、一致する日程を認識するとともに、その日程に対応付けられている工事情報を抽出する。また、抽出された工事情報に関連する全ての商品情報を、発注の際に記憶した商品情報及び工事情報の関連付けを基に抽出する。そして、抽出された商品情報を基に建材の納品リストを作成する。これにより、納入日毎の納品リストが作成され、納品リストを基に建材を手配することが可能になる。
【００１５】
ところで、本発明の建材の受発注支援システムにおいて、「前記施工種別には職種の区分が含まれ、前記発注情報記憶手段に記憶された前記商品情報及び前記工事情報を基に、前記職種毎の見積書を作成する見積書作成手段をさらに備える」構成とすることができる。
【００１６】
これによれば、発注情報記憶手段に記憶された情報を基に、職種毎の見積書が作成される。つまり、発注情報記憶手段には、施工種別として職種の区分が記憶されているため、職種毎の見積書を作成することが可能になる。換言すれば、発注の際に入力された工事情報は、建材の納期を設定する場合だけでなく、個別の見積書を作成する場合にも利用される。すなわち、見積書の作成から建材の納品に至る一連の作業において、工事情報が有効に利用される。
【００１７】
ところで、上記の発明は、サーバーにおいて使用されるプログラムとして実現することもできる。すなわち、「複数の商品を発注する発注用端末とサーバーとを通信ネットワークを介して接続した建材の受発注支援システムにおいて使用される受発注支援プログラムであって、発注の際に、前記発注用端末から、建材の品番及び数量を含む商品情報と、その建材の使用場所及び施工種別を含む工事情報とが入力されると、前記商品情報及び前記工事情報を互いに関連付けて記憶する発注情報記憶手段、日程管理の際に、前記発注用端末から、前記工事情報に対応する日程が入力されると、該日程及び前記工事情報を互いに関連付けて記憶する日程情報記憶手段、建材を納品する際に、納入日を指定して検索が指示されると、該納入日に一致する前記日程を基に、該日程に対応する前記工事情報を前記日程情報記憶手段から抽出するとともに、抽出された前記工事情報に関連する全ての前記商品情報を前記発注情報記憶手段から抽出する情報抽出手段、及び、該情報抽出手段によって抽出された前記商品情報を基に、建材の納品リストを作成するリスト作成手段として、前記サーバーを機能させる」ものである。
【００１８】
このプログラムによれば、サーバーにおいて実行させることにより、発注の際には商品情報及び工事情報を互いに関連付けて記憶し、日程管理の際には発注時に入力された工事情報及び日程を互いに対応付けて記憶することが可能になる。また、建材を納品する際には納入日を指定して検索が指示されると、納入日毎の納品リストを作成することが可能になる。なお、具体的な処理については、請求項１の作用と同様であるため、ここでは詳細な説明を省略する。
【発明の効果】
【００１９】
このように、本発明の建材の受発注支援システムは、発注時に拾い出された建材の使用場所及び施工種別を、発注時に特定しておくことにより、工事の日程管理にその発注情報を役立てることが可能になる。このため、複数の建材の納入日を容易に設定することが可能となり、発注者の負担を軽減することができる。また、工事情報に対応して日程を設定することから、同じ種類の建材であっても異なる場所に配置する場合には、夫々の場所の施工状況に合わせた納入日に納品することが可能になり、現場における利便性を大きく向上させることができる。
【発明を実施するための最良の形態】
【００２０】
以下、本発明の一実施形態である建材の受発注支援システムについて、図１乃至図６に基づき説明する。図１は受発注支援システム全体の概略構成を示す説明図であり、図２及び図３は受発注支援システムにおけるサーバー及び発注用端末の機能的構成を示すブロック図である。図４はサーバーに記憶される情報の構成を示す説明図であり、図５は表示画面の一例を示す説明図であり、図６はサーバーにおける処理の流れを示すフローチャートである。
【００２１】
本例の受発注支援システム１は、図１に示すように、メーカー２によって管理されるサーバー３、受注用端末４、及びプリンタ５と、発注者６が利用可能な発注用端末７とを、ネットワーク８を介して接続したものであり、例えば住宅を建築したり改築したりする際に用いられる。なお、ネットワーク８は、電話回線網、及びＩＳＰ（Ｉｎｔｅｒｎｅｔ  Ｓｅｒｖｉｃｅ  Ｐｒｏｖｉｄｅｒ）を含むインターネット等の広域通信ネットワークから構築されている。
【００２２】
サーバー３は、各発注用端末７または受注用端末４から送信されたデータを、ネットワーク８を介して受信し、これらの入力に応じた処理を行うものである。ハード構成としては、汎用のコンピュータと同様、主記憶装置（図示しない）と、演算装置及び制御装置から構成される中央処理装置と、キーボードやポインティングデバイス等、情報を直接入力するための入力装置と、サーバー３の中で処理された情報を取出すディスプレイ等の出力装置と、ネットワーク８を介してデータの送受信を行うモデム等の通信手段と、ハードディスク等から構成された記憶装置とを備えている。
【００２３】
なお、通信手段は、図２に示すように、発注用端末７または受注用端末４からデータを受信する受信手段１１と、アクセスのあった発注用端末７等にデータを送信する送信手段１２とを有する通信制御手段１３によって制御されるようになっている。
【００２４】
サーバー３の記憶装置は、商品情報記憶手段１４、発注情報記憶手段１５、及び日程情報記憶手段１６に大別されている。商品情報記憶手段１４には、「商品名」、「品番」、「価格」、及び「商品の説明」等の商品情報が記憶されている。
【００２５】
発注情報記憶手段１５は、建材９の発注または見積もりの際に入力された情報、具体的には、図４（ａ）に示すように、建材９の「品番」及び「数量」を含む「商品情報」と、「使用場所」及び「施工種別」を含む「工事情報」とを、互いに関連付けて記憶するものである。ここで、「使用場所」とは、夫々の建材９が使用される場所を示すものであり、本例では、物件名である「個別邸」の識別番号と、部屋の種類を示す「部屋」の識別番号と、壁、床、及び天井等、工事対象の部位を示す「部位」の識別番号との組合わせから構成されている。また、「施工種別」には、大工、左官、配管、及び電気工事といった「職種の区分」と、「施工順序」を示す情報とが含まれている。
【００２６】
一方、日程情報記憶手段１６は、図４（ｂ）に示すように、工事のスケジュールを管理する際、発注用端末７から「工事情報」、すなわち「使用場所」及び「施工種別」の組合わせに対応する「日程」（日付）が入力されると、その「日程」と「工事情報」とを互いに関連づけて記憶するものである。つまり、「商品情報」に対して「日程」が入力されるのではなく、「工事情報」に対して「日程」が入力されることから、異種の建材９であっても、それらの建材９の「使用場所」及び「施工種別」が互いに一致していれば、同一の日付に使用されるものとして設定される。また、同一の建材９であっても、例えば使用する部屋が互いに異なる場合には個別に日程が設定されることとなる。
【００２７】
ところで、このサーバー３には、受発注支援プログラムが記憶されており、このプログラムを実行させることにより、以下に示す機能的構成を有するものになる。
【００２８】
すなわち、図２に示すように、サーバー３は、発注情報を取得するための構成として、発注情報要求手段１８及び発注情報認識手段１９を備えている。発注情報要求手段１８は、「商品情報」及び「工事情報」の入力を、発注用端末７に対して要求するものである。つまり、発注用端末７のディスプレイ３４（図３参照）に所定の入力画面を表示させ、「商品情報」及び「工事情報」の入力を促すものである。発注情報認識手段１９は、発注用端末７において入力された「商品情報」及び「工事情報」を、受信手段１１を介して受信し認識するものである。認識されたこれらの情報は互いに関連付けられ発注情報記憶手段１５に記憶される。
【００２９】
また、サーバー３は、見積指示が入力されたことを認識する見積指示認識手段２０と、見積書を作成する見積書作成手段２１とを備えている。見積書作成手段２１は、発注情報記憶手段１５に記憶された「商品情報」及び「工事情報」と、商品情報記憶手段１４に記憶された「価格」とを基に見積書を作成するものである。特に、発注情報記憶手段１５には、「工事情報」として「職種の区分」が記憶されており、見積書作成手段２１は、これを基に職種毎の見積書を作成する。例えば図５（ａ）に示す見積書５１は、職種Ａに関するものであり、建材９の商品名、品番、数量、及び金額等が一覧として表示される。
【００３０】
また、サーバー３は、工事の日程を取得するための構成として日程要求手段２２及び日程認識手段２３を備えている。日程要求手段２２は、「工事情報」に対する「日程（日付け）」の入力を、発注用端末７に対して要求するものである。つまり、発注用端末７のディスプレイ３４に所定の入力画面を表示させ、「スケジュール」の入力を促すものである。日程認識手段２３は、発注用端末７において入力された「日程」を、受信手段１１を介して受信し認識するものである。認識された「日程」は工事情報に関連付けられ日程情報記憶手段１６に記憶される。
【００３１】
さらに、サーバー３は、建材９の納品を手配するための構成として、検索指示認識手段２４、情報抽出手段２５、及びリスト作成手段２６を備えている。検索指示認識手段２４は、受注用端末４において検索が指示されたことを認識するものであり、認識した場合、検索条件である「納入日」を情報抽出手段２５に出力する。情報抽出手段２５は、検索指示認識手段２４によって認識した「納入日」と日程情報記憶手段１６に記憶された「日程」とを照合し、一致する「日程」を認識するとともに、その「日程」に対応付けられた「工事情報」を日程情報記憶手段１６から抽出する。また、抽出された「工事情報」に関連する全ての商品情報を、発注情報記憶手段１５に記憶された「商品情報」及び「工事情報」の関連付けを基に抽出する。リスト作成手段２６は、情報抽出手段２５によって抽出された「商品情報」を基に、建材９の納品リストを作成するものである。例えば、図４（ａ）に示す情報が発注情報記憶手段１５に記憶され、図４（ｂ）に示す情報が日程情報記憶手段１６に記憶されている場合において、納入日として「2004/03/08」を指定して検索が指示されると、図５（ｂ）に示すような納品リスト５２を作成し受注用端末４に送信する。なお、納品リスト５２をプリンタ５に送出し、紙媒体に印刷することも可能である。
【００３２】
一方、発注用端末７は、ブラウザソフトがインストールされた汎用のコンピュータであり、主記憶装置、演算装置、及び制御装置から構成されるＣＰＵ（中央処理装置）と、ネットワーク８を介して情報を送受信する通信装置とを備えている。なお、図３に示すように、通信装置は、受信手段３０及び送信手段３１を有する通信制御手段３２によって制御される。また、発注用端末７には、キーボードやポインティングデバイス等の入力装置３３と、ディスプレイ３４を制御する表示制御手段３５とが設けられている。
【００３３】
また、発注用端末７は、サーバー３から送信された情報を認識する複数の機能的構成を備えている。すなわち、発注情報の要求を認識する発注要求認識手段３６と、見積書を認識する見積書認識手段３７と、日程の要求を認識する日程要求認識手段３８とを備えている。これらの認識手段によって認識された各情報は、表示制御手段３５に送られディスプレイ３４に表示される。また、発注用端末７は、機能的構成として、情報の入力を行わせるための複数の手段を備えている。具体的には、建材９の発注情報を入力するための発注情報入力手段３９と、入力した発注情報に関して見積書を作成することを指示する見積指示入力手段４０と、工事情報に対する日程を入力するための日程入力手段４１とを備えている。これらの入力手段３９，４０，４１によって入力された各情報は、送信手段３１を介してサーバー３に送信される。
【００３４】
次に、本実施形態の受発注支援システム１の動作、特に、サーバー３における処理の流れ（本発明の受発注支援プログラムに相当）について、図６に基づき説明する。まず、サーバー３は、いずれかの発注用端末７からアクセスがあり（ステップＳ１においてＹＥＳ）、発注用端末７において建材９の発注モード（発注画面）が選択されると（ステップＳ２においてＹＥＳ）、発注用端末７から発注情報（商品情報及び工事情報）が入力されたか否かを判断する（ステップＳ３）。そして、発注情報が入力された場合には（ステップＳ３においてＹＥＳ）、その発注情報を認識し発注情報記憶手段１５に記憶する（ステップＳ４）。なお、この際、商品情報と工事情報とは互いに関連付けて記憶される。
【００３５】
その後、発注用端末７から見積書の指示が入力されたか否かを判断し、その指示が入力された場合には（ステップＳ５においてＹＥＳ）、商品情報記憶手段１４及び発注情報記憶手段１５に記憶された情報を基に、職種毎の見積書５１を作成し、発注用端末７に送信する（ステップＳ６）。
【００３６】
また、発注用端末７において、工事日程管理モード（日程入力画面）が選択されると（ステップＳ７においてＹＥＳ）、工事情報に対応する日程が入力されたか否かを判断する（ステップＳ８）。そして、日程が入力された場合には（ステップＳ８においてＹＥＳ）、その日程を認識し日程情報記憶手段１６に記憶する（ステップＳ９）。なお、この際、日程と工事情報とは対応づけて記憶される。
【００３７】
一方、受注用端末４からアクセスがあり（ステップＳ１０においてＹＥＳ）、受注用端末４において、「納入日」の指定とともに検索指示が入力されると（ステップＳ１１においてＹＥＳ）、情報抽出手段２５によって、納入日に対応する商品情報を発注情報記憶手段１５から抽出し納品リスト５２を作成するとともに、作成した納品リスト５２を受注用端末４に送信する（ステップＳ１２）。これにより、受注用端末４において、納品リスト５２が表示され、納入日毎の納品状況を確認することが可能になる。
【００３８】
その後、システムを終了させる旨の指示が入力されたか否かを判断し（ステップＳ１３）、その指示が入力された場合には（ＹＥＳ）、全ての処理を終了し、一方、入力されない場合には（ＮＯ）、ステップＳ１の処理に戻る。
【００３９】
このように、上記の受発注支援システム１によれば、発注時に拾い出された建材９の使用場所及び施工種別を、発注時に特定しておくことにより、工事の日程管理にその発注情報を役立てることが可能になる。つまり、発注情報を再利用することが可能になる。このため、複数の建材９の納入日を容易に設定することが可能となり、発注者６の負担を軽減することができる。また、工事情報に対応して日程を設定することから、同じ種類の建材９であっても異なる場所に配置する場合には、夫々の場所の施工状況に合わせて納品できるようになり、現場における利便性を大きく向上させることができる。
【００４０】
また、上記の受発注支援システム１によれば、発注情報記憶手段１５に記憶された「職種の区分」を基に建材９の見積もりが振り分けられるため、見積書の内容を職種毎に認識することが可能となり、価格の把握やコスト交渉等を容易に且つ円滑に行うことが可能になる。特に、日程の管理上必要となる工事情報が、見積書を作成する際に利用されるため、情報の有効化が図られ、発注者６の手間を一層軽減することができる。
【００４１】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００４２】
すなわち、本実施形態の受発注支援システム１では、発注情報の入力及び日程の入力が、同一の発注用端末７を用いて行われるものを示したが、別々の端末装置を用いて入力されるように構成してもよい。特に、建材９の発注作業が行われる場所と、工事の日程が管理される場所とが互いに異なる場合には、上記のように構成することにより、使い勝手の優れたシステムを実現することが可能になる。
【００４３】
さらに、本実施形態の受発注支援システム１では、発注用端末７として汎用のコンピュータを示したが、発注用端末７は、ネットワーク８を介してサーバー３にアクセスできるものであればよく、例えば携帯電話等の無線通信機器を利用することも可能である。
【図面の簡単な説明】
【００４４】
【図１】本発明の一実施形態である受発注支援システムの概略構成を示す説明図である。
【図２】建材の受発注支援システムにおけるサーバーの機能的構成を示すブロック図である。
【図３】建材の受発注支援システムにおける発注用端末の機能的構成を示すブロック図である。
【図４】サーバーに記憶される情報の構成を説明する説明図である。
【図５】表示画面の一例を示す説明図である。
【図６】サーバーにおける処理の流れを示すフローチャートである。
【符号の説明】
【００４５】
１  受発注支援システム（建材の受発注支援システム）
３  サーバー
７  発注用端末
８  ネットワーク（通信ネットワーク）
９  建材
１５  発注情報記憶手段
１６  日程情報記憶手段
２１  見積書作成手段
２５  情報抽出手段
２６  リスト作成手段
【図１】
2005309718.tif 000003
【図２】
2005309718.tif 000004
【図３】
2005309718.tif 000005
【図４】
2005309718.tif 000006
【図５】
2005309718.tif 000007
【図６】
2005309718.tif 000008